(57)【要約】      （修正有）【課題】光ファイバや電線等多方向線材を、外部から建物や機器等に引き込む時、壁面やシャーシ等に線材を固定する多方向線材の固定装置を提供する。【解決手段】固定装置１００は、前ねじ山１１２を有する本体１１０と、該本体の第１後ねじ山１１４に固定可能な第１固定部材１３４、該本体の第２後ねじ山１１６に固定可能な第２固定部材１３６と、該本体の第３後ねじ山に固定可能な第３固定部材１３８と、を含む。該第１後ねじ山は、前通孔１２２と連通する第１後通孔を定義し、第１線材１４４を該前通孔及び該第１後通孔に通過させる。該第２後ねじ山は、該前通孔と連通する第２後通孔を定義し、第２線材１４６を該前通孔及び該第２後通孔に通過させる。該第３後ねじ山は、該前通孔と連通する第３後通孔を定義し、第３線材１４８を該前通孔及び該第３後通孔に通過させ、該本体の前通孔１２２は、電気箱又はシャーシ又は壁面の通孔に結合連通し、該固定装置１００を固定することができる。【選択図】図３
0003179187.tif 000002
【実用新案登録請求の範囲】
【請求項１】
本体、第１固定部材、第２固定部材及び第３固定部材を含み、
該本体は、前通孔を定義することに用いる前ねじ山と、該前通孔と連通する第１後通孔を定義することに用いる第１後ねじ山と、該前通孔と連通する第２後通孔を定義することに用いる第２後ねじ山と、該前通孔と連通する第３後通孔を定義することに用いる第３後ねじ山と、を含み、
該第１固定部材は、該第１後ねじ山に固定され、
該第２固定部材は、該第２後ねじ山に固定され、
該第３固定部材は、該第３後ねじ山に固定される多方向線材の固定装置。
【請求項２】
前記第１固定部材は、第１線材に更に結合し、該第２固定部材は、第２線材に更に結合し、該第３固定部材は、第３線材に更に結合する請求項１に記載の多方向線材の固定装置。
【請求項３】
前記第１線材、第２線材、第３線材は、ケーブル固定ヘッドである請求項２に記載の多方向線材の固定装置。
【請求項４】
前記第１線材、第２線材、第３線材は、ウェーブ管固定ヘッドである請求項２に記載の多方向線材の固定装置。
【請求項５】
前記前通孔及び該第２後通孔の間の第１接続線は、該第１後通孔及び該第３後通孔の間の第２接続線である請求項３に記載の多方向線材の固定装置。
【請求項６】
前記本体は、ケース型である請求項１に記載の多方向線材の固定装置。
【請求項７】
前記通孔は、板部材の通孔に結合することに用いる請求項１に記載の多方向線材の固定装置。
【請求項８】
前記前ねじ山は、更に前固定部材に結合する請求項１に記載の多方向線材の固定装置。
【請求項９】
前記前通孔は、更に管部材に結合する請求項１に記載の多方向線材の固定装置。
【請求項１０】
前記前通孔は、更にパッド及びねじ込み式プラグに結合する請求項１に記載の多方向線材の固定装置。
【考案の詳細な説明】
【技術分野】
【０００１】
本考案は、固定装置に関し、特に、複数の線材を固定する多方向式固定装置に関する。
【背景技術】
【０００２】
現代社会において、線材（例えば、光ファイバ、ケーブル、電話線及び電線等）は、各種信号、例えば、ビデオ信号及びネットワーク信号等を伝送することに大量に用いられている。線材は、建築物又は機器に進入する前、先ず固定装置により該建築物又は機器の板部材（例えば、シャーシ又は壁面、電気箱）上に固定される必要があり、その後、初めて各単位に分離接続される。
【０００３】
図１を参照し、それは、現有技術US patent no. 5,927,892において、線材をシャーシに固定することに用いる固定装置の分解図である。該固定装置は、該線材を収容し、順に貫通設置可能なナット１０と、パッド２０と、本体３０と、クランプリング４０と、クランプ爪５０と、締結固定ヘッド６０と、を含む。該本体３０は、前通孔３３、該前通孔３３と連通する後通孔３４、該前通孔３３を囲う前外ねじ山３１、及び該後通孔３４の後外ねじ山３２を有する。該前外ねじ山３１は、シャーシの通孔を通過でき、該ナット１０及び該パッド２０は、該前外ねじ山３１の該シャーシ、電気箱の該通孔を通過する部分上に被せ設けることができ、該本体３０を該シャーシ上に固定する。該クランプリング４０は、該本体３０の該前通孔３３及び該後通孔３４内に嵌合設置でき、該前通孔３３及び後通孔３４の内壁との間に隙間を残す。該クランプ爪５０は、通孔５１、爪片５２、及び該爪片５２の内側上に設置する爪歯５３を有する。該クランプ爪５０が該クランプリング４０上に被せ設けられた後、該爪歯５３は、該クランプリング４０の収縮環面４２に係止することができる。続いて、該締結固定ヘッド６０は、該クランプ爪５０上に被せ設けることができ、また、該締結固定ヘッド６０の内ねじ山６２は、該本体３０と該後外ねじ山３２と螺合することができ、この時、該締結固定ヘッド６０の内斜面６０の内斜面６１は、該爪歯５３を該収縮環面４２に締結し、該線材を該固定装置により該シャーシ上に緊密に固定させることができる。
【０００４】
該固定装置の本体３０は、該前通孔３３以外、ただ１つの後通孔（即ち、該後通孔３４）を含むので、該固定装置は、その中に貫通設置され、該基板上に固定されるただ１本の線材を収容することのみできる。しかしながら、ネットワークの普及及びクラウド技術の急速な発展に伴い、該固定装置は、異なる信号を伝送する複数の線材を同一シャーシの通孔中に固定する必要がある。相応して、該シャーシの該通孔、及び該本体３０の該前通孔３３及び該後通孔３４の孔径を拡大し、該固定装置中に貫通設置され、該基板、電気箱上に共同で固定される複数の線材を収容することができる。
【先行技術文献】
【特許文献】
【０００５】
【特許文献１】特開２０１０−７７４８号公報
【考案の概要】
【考案が解決しようとする課題】
【０００６】
しかしながら、該線材を該クランプリング４０から該後通孔３４を経過し、該前通孔３３まで、ずっと密接しているので、該線材中に伝送する各種信号が相互に干渉する。また、該線材は、異なる方向から来るので、該線材は、該固定装置に貫通設置される前に、該固定装置の外部で湾折する必要があり、該湾折箇所の線材が破損するリスクを有する。また、該湾折箇所は、該固定装置の外部にあるので、該湾折箇所の線材が一端破損すると、該線材内の伝送線が露出され、該信号の伝送品質が深刻な影響を受ける。
【０００７】
従って、本分野では、長らく、上記問題を解決する固定装置が必要とされているが、願が未だ達成されていない。
【課題を解決するための手段】
【０００８】
現有技術の問題を解決する為、本考案は、多方向線材の固定装置を提供する。該固定装置は、本体、第１固定部材、第２固定部材及び第３固定部材を含み、
該本体は、前通孔を定義することに用いる前ねじ山と、該前通孔と連通する第１後通孔を定義することに用いる第１後ねじ山と、該前通孔と連通する第２後通孔を定義することに用いる第２後ねじ山と、該前通孔と連通する第３後通孔を定義することに用いる第３後ねじ山と、を含み、
該第１固定部材は、該第１後ねじ山に固定され、
該第２固定部材は、該第２後ねじ山に固定され、
該第３固定部材は、該第３後ねじ山に固定される。
【０００９】
本考案の実施例において、該第１固定部材は、第１線材に更に結合し、該第２固定部材は、第２線材に更に結合し、該第３固定部材は、第３線材に更に結合する。
【００１０】
本考案の実施例において、該第１線材、第２線材、第３線材は、ケーブル固定ヘッドである。
【００１１】
本考案の実施例において、該第１線材、第２線材、第３線材は、ウェーブ管固定ヘッドである。
【００１２】
本考案の実施例において、該前通孔及び該第２後通孔の間の第１接続線は、該第１後通孔及び該第３後通孔の間の第２接続線である。
【００１３】
本考案の実施例において、該本体は、ケース型である。
【００１４】
本考案の実施例において、該通孔は、板部材の通孔に結合することに用いる。
【００１５】
本考案の実施例において、該前ねじ山は、更に前固定部材に結合する。
【００１６】
本考案の実施例において、該前通孔は、更に管部材に結合する。
【００１７】
本考案の実施例において、該前通孔は、更にパッド及びねじ込み式プラグに結合する。
【００１８】
本考案の実施例において、該第２後通孔は、該前通孔に対応し、該第１後通孔は、該第３後通孔に対応し、また、該前通孔は、該第２後通孔の間の第１接続線は、該第１後通孔及び該第３後通孔の間の第２接続線に垂直であり、Ｔ型３方向固定装置を形成し、３方向式で進入するケーブルを連結し、ケーブル防水張力を固定することができる。
【００１９】
本考案の実施例において、該第１固定部材は、該第１線材をその中の固定ヘッドに結合させることができ、該固定ヘッドの一端は、該第１後ねじ山と螺合できるねじ山を設置し、該第２固定部材は、該第２線材をその中の固定ヘッドに結合させることができ、該固定ヘッドの一端に該第２後ねじ山と螺合可能なねじ山を設置し、該第３固定部材は、該第３線材をその中の固定ヘッドに結合させることができ、該固定ヘッドの一端に該第３後ねじ山と螺合可能なねじ山を設置し、該固定部材が含む固定ヘッドは、例えば、ケーブル固定ヘッド、ウェーブ管固定ヘッド、電話線固定ヘッド等の各種線材を防水又は締結する固定機構である。
【００２０】
本考案の実施例において、該前通孔は、更にパッド及びねじ込み式プラグを含むか、該前通孔は、その中に結合する管部材を含む。
【考案の効果】
【００２１】
本考案は、該固定装置の該本体が複数の後通孔を有するので、複数本がそれぞれ異なる方向からの線材（例えば、ケーブル、光ファイバ、電話線、又はウェーブ管内部に貫通設置するケーブル、光ファイバ、電話線）が、それぞれ該後通孔を通過し、該本体内で湾折した後、初めて該前通孔を共に通過する。このように、該線材は、該線材は、該本体内で初めて湾折を開始するので、該線材の湾折箇所は、該本体内であり、従って、日光等の外部環境の影響を受けて亀裂することがなく、該湾折箇所の該線材が破損しても該伝送線が雨水又は砂塵の侵蝕を受けず、故に、該線材上を伝送する信号も影響を受けることがない。
【図面の簡単な説明】
【００２２】
【図１】現有技術中の線材をシャーシに固定する固定装置の分解図である。
【図２Ａ】本考案の固定装置の本体の正面図である。
【図２Ｂ】本考案の固定装置の本体の左側面図である。
【図２Ｃ】本考案の固定装置の本体の右側面図である。
【図２Ｄ】本考案の固定装置の本体の平面図である。
【図３】本考案の実施例中の固定装置の正面図である。
【図４Ａ】本考案のもう１つの実施例中の固定装置の正面図である。
【図４Ｂ】本考案のもう１つの実施例中のウェーブ管固定部材の構造説明図である。
【図５】本考案の実施例中の固定装置の後固定部材の組み立て図である。
【図６】本考案の実施例中のねじ込み式プラグ及びパッドの説明図である。
【図７】本考案の実施例中のねじ込み式プラグ及びパッドが固定装置の前通孔に結合した組み合わせ図である。
【考案を実施するための形態】
【００２３】
複数の線材をその中に収容することができる為、本考案の固定装置中の本体は、前通孔を含む以外に、更に複数（例えば、３個）の後通孔を含む。
【００２４】
図２Ａ〜図２Ｄを参照し、それは、本考案中の固定装置１００の本体１１０の正面図、左側面図、右側面図、及び平面図である。該本体１１０は、前ねじ山１１２、第１後ねじ山１１４、第２後ねじ山１１６、及び第３後ねじ山１１８を含む。該前ねじ山１１２は、本実施例では、内ねじ山であり、それは、前通孔１１２を定義する。該第１後ねじ山１１４は、該前通孔１２２と連通する第１後通孔１２４を定義し、第１線材１４４（図３参照）を該第１後通孔１２４及び前通孔１２２に結合連通させる。該第２後ねじ山１１６は、該前通孔１２２と連通する第２後通孔１２６を定義し、第２線材１４６（図３参照）を該第２後通孔１２６及び前通孔１２２に結合連通させる。該第３後ねじ山１１８は、該前通孔１２２と連通する第３後通孔１２８を定義し、第３線材１４８（図３参照）を該第３後通孔１２８及び前通孔１２２に結合連通させる。
【００２５】
本考案の実施例において、該第２後通孔１２６は、該前通孔１２２に対応し、該第１後通孔１２４が該第３後通孔１２８に対応し、また、該前通孔１２２及び該第２後通孔１２６の間の第１接続線は、該第１後通孔１２４及び該第３後通孔１２８の間の第２接続線に垂直である。即ち、該本体１１０の該第１後通孔１２４、該第２後通孔１２６、及び該第３後通孔１２８は、Ｔ型構造の３方向固定装置を有し、３方向式で進入するケーブルを連結し、各種ケーブル固定ヘッドを組み合わせ、ケーブル及び防水張力等のケーブル固定効果を固定することができる。本考案のその他の実施例において、該板部材は、シャーシ又は壁面であり、相応して、該本体１１０は、ケース型設計であり、該壁面に完全に密接するか該シャーシ上に固定される。また、該本体１００上に螺子孔を更に設置し、使用者が別途螺子を使用し、該本体１１０を例えば、該シャーシ上に固定することに便利にする。
【００２６】
図３を参照し、それは、本考案の実施例中の該固定装置１００の正面図である。該固定装置１００は、更に、該第１後ねじ山１１４に固定可能な第１固定部材１３４、第２後ねじ山１１６に固定可能な第２固定部材１３６、及び該第３後ねじ山１１８に固定可能な第３ねじ山固定部材１３８を含む。図３が示す固定装置１００において、該第１固定部材１３４、該第２固定部材１３６、及び該第３固定部材１３８は、何れもケーブル固定部材であり、該ケーブル固定部材は、ナット１３４１、クランプ爪１３４３、クランプリング１３４５を含み、該クランプリング１３４５は、該クランプ爪１３４３内側に結合し、該クランプ爪１３４３は、該ナット１３４１内に設けられる。相応して、該第１線材１４４、第２線材１４６、及び該第３線材１４８は、何れもケーブル、電話線、光ファイバである。複数のケーブル固定部材を利用し、該ケーブル、電話線、光ファイバをクランプリング１３４５内に貫通設置させ、該クランプ爪１３４３は、クランプ爪１３４５の頚部１３４６を嵌合し、該ナット１３４１は、それぞれ第１固定部材１３４、第２固定部材１３６又は第３固定部材１３８にそれぞれ結合され、これにより、該第１線材１４４が該第１固定部材１３４内に貫通設置結合するか、第２線材１４６が第２固定部材１３６内に貫通設置結合するか、第３線材１４８が第３固定部材１３８内に貫通設置結合し、貫通したケーブル、電話線、光ファイバは、何れもここで湾折終結し、前通孔１２２に至り、結合する板部材（図示せず）の通孔内部に進入する。
【００２７】
図４Ａ、図４Ｂを参照し、それは、本考案の他の実施例中の固定装置１００の正面図及びウェーブ管固定部材の構造説明図である。図４Ａが示す固定部材１００において、該第１固定部材１３４、該第２固定部材１３６、及び該第３固定部材１３８がウェーブ管固定部材であり、相応して、該第１線材１４４、該第２線材１４６、及び該第３線材１４８は、何れもウェーブ管であり、これにより、該第１線材１４４は、該第１固定部材１３４内に貫通設置結合し、該第２線材１４６は、該第２固定部材１３６内に貫通設置結合し、該第３線材１４８は、該第３固定部材１３８内に貫通設置結合し、該ウェーブ固定部材（図４Ｂ参照）は、締結ナット２９６を含み、それぞれ第１後ねじ山１１４、第２後ねじ山１１６、第３後ねじ山１１８に結合し、その内側にクランプ爪２９５を結合し、該クランプ爪２９５は、フック２９５１を含み、前記の締結ナット２９６が締結後にクランプ２９５のフック２９５１をウェーブ管の凹陥部に嵌合固定し、ケーブル、電話線、光ファイバをウェーブ管内部に設け、ここで湾折終結させ、前通孔１２２に至り、結合する板部材（図示せず）の通孔内部に進入させる。
【００２８】
図３及び図４Ａに示す実施例において、該固定装置１００が含む該第１固定部材１３４、該第２固定部材１３６、及び該第３固定部材１３８は、何れも同一型式の固定部材である。しかしながら、本考案のその他の実施例において、第１固定部材１３４、該第２固定部材１３６、及び該第３固定部材１３８は、互いに異なることができ、従って、異なる型式の線材を固定することができる。
【００２９】
図５を参照し、本考案の実施例は、該前通孔１２２は、更に管部材１３９を結合し、ケーブル又は光リング等が該管部材中に被せ設けられ、保護を受けることができ、該管部材１３９は、また板部材に連結する。
【００３０】
図６、図７を参照し、本考案の実施例において、第１後通孔１２４、該第２後通孔１２６、及び該第３後通孔１２８の線材は、前通孔１２２を通過する必要がない。湿気又は灰塵が該本体１１０内に進入することを防止する為、該前通孔１２２は、更に、ねじ込み式プラグ１０７及びパッド１９８を更に結合する。
【００３１】
本考案の実施例において、該固定装置１００の該第１後通孔１２４は、更に前固定部材を結合し、それは、例えば、図１に示す本体３０であり、該前ねじ山１１２と螺合し、該本体１１０を板部材の通孔又は螺子孔（図示せず）に固定することができる。
【００３２】
該固定装置１００の該本体１１０は、３つの後通孔（即ち、該第１後通孔１２４、該第２後通孔１２６、及び該第３後通孔１２８）を有するので、３本は、それぞれ異なる方向からの線材（例えば、ケーブル、光ファイバ、電話線、又はウェーブ管内部に貫通設置するケーブル、光ファイバ、電話線）は、それぞれ該後通孔を通過することができ、該本体１１０内に直進し、初めて１つになるので、該線材中に伝送する各種信号は、相互干渉し難い。また、該線材は、該本体１１０内で初めて湾折を開始し、即ち、該線材の湾折の湾折箇所は、該本体１１０内にあるので、該湾折箇所の該線材が破損し、該線材内の伝送信号線を露出させても、該露出した伝送線は、雨水又は砂塵の侵蝕を受けず、故に、該線材上を伝送する信号も影響を受けない。本考案の固定装置は、従って、長らく未解決であった問題を解決する。
【００３３】
本考案の固定装置は、特殊の三方向設計を有し、適合した緩み防止締結機構を組み合わせることができるので、各種領域（例えば、自動車、機械、通信、無線ネットワークルーム、プラントエンジニアリング）に広く応用でき、任意の異種の設備（例えば、ソーラパワー通信配線、ＬＥＤ照明、デジタルディスプレイ、交通信号、検出及び監視装置）を取り付けることができる。
【００３４】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００３５】
＜従来技術＞
１０  ナット
２０  パッドリング
３０  本体
３１  前外ねじ山
３２  後外ねじ山
３３  前通孔
３４  後通孔
４０  クランプリング
４２  収縮環面
５０  クランプ爪
５１  通孔
５２  爪片
５３  爪歯
６０  締結固定ヘッド
６１  内斜面
６２  内ねじ山
＜本考案＞
１００  固定装置
１１０  本体
１１２  前ねじ山
１１４  第１後ねじ山
１１６  第２後ねじ山
１１８  第３後ねじ山
１２２  前通孔
１２４  第１後通孔
１２６  第２後通孔
１２８  第３後通孔
１３４  第１固定部材
１３４１  ナット
１３４３  クランプ爪
１３４５  クランプリング
１３６  第２固定部材
１３８  第３固定部材
１３９  管部材
１３９１  管部材ねじ山
１４４  第１線材
１４６  第２線材
１４８  第３線材
１９２  パッド
１９３  固定本体
１９４  クランプリング
１９５  クランプ爪
１９６  締結ナット
１９７  ねじ込み式プラグ
１９８  パッド
２９５  クランプ爪
２９５１  フック
２９６  締結ナット
【図１】
0003179187.tif 000003
【図２Ａ】
0003179187.tif 000004
【図２Ｂ】
0003179187.tif 000005
【図２Ｃ】
0003179187.tif 000006
【図２Ｄ】
0003179187.tif 000007
【図３】
0003179187.tif 000008
【図４Ａ】
0003179187.tif 000009
【図４Ｂ】
0003179187.tif 000010
【図５】
0003179187.tif 000011
【図６】
0003179187.tif 000012
【図７】
0003179187.tif 000013